(57)【要約】【課題】  直流電流に交流電流を重畳した電流を用いて二次電池を充電または放電する際に、二次電池に流れる交流電流の波高値と設定値との差が大きくなることを抑制する。【解決手段】  充放電試験システムは、二次電池を充電または放電する直流電流を発生する直流電流発生部と、交流電流を発生し、交流電流を直流電流に重畳する交流電流発生部と、二次電池に流れる電流を検出する電流検出部と、電流検出部により検出された電流の交流成分を抽出し、抽出した交流成分の波高値を計測する波高値計測部と、波高値計測部により計測された波高値に基づいて、交流電流発生部で発生させる交流電流の波高値を調整する制御部とを有する。【選択図】  図１
2016206102.tif 000002
【特許請求の範囲】
【請求項１】
二次電池を充電または放電する充放電試験システムにおいて、
前記二次電池を充電または放電する直流電流を発生する直流電流発生部と、
交流電流を発生し、前記交流電流を前記直流電流に重畳する交流電流発生部と、
前記二次電池に流れる電流を検出する電流検出部と、
前記電流検出部により検出された電流の交流成分を抽出し、抽出した交流成分の波高値を計測する波高値計測部と、
前記波高値計測部により計測された波高値に基づいて、前記交流電流発生部で発生させる前記交流電流の波高値を調整する制御部と
を備えていることを特徴とする充放電試験システム。
【請求項２】
前記波高値計測部は、前記電流検出部により検出された電流に対応する信号のうちの所定の周波数範囲の交流信号を抽出するバンドパスフィルタを含み、前記バンドパスフィルタで抽出した前記交流信号に基づいて前記交流成分の波高値を計測する
ことを特徴とする請求項１に記載の充放電試験システム。
【請求項３】
前記二次電池が接続される第１端子および第２端子を含む充放電装置を備え、
前記直流電流発生部、前記交流電流発生部、前記電流検出部、前記波高値計測部および前記制御部は、前記充放電装置内に配置され、
前記直流電流発生部は、前記第１端子に接続される第３端子と、前記第２端子に前記電流検出部を介して接続される第４端子とを有し、
前記交流電流発生部は、前記第１端子に接続される第５端子と、前記第２端子に前記電流検出部を介して接続される第６端子とを有し、
前記電流検出部は、前記第２端子に接続される第７端子と、前記第４端子および前記第６端子に接続される第８端子とを有すること
を特徴とする請求項１または請求項２に記載の充放電試験システム。
【発明の詳細な説明】
【技術分野】
【０００１】
本発明は、充放電試験システムに関する。
【背景技術】
【０００２】
二次電池の充電試験および放電試験等の特性試験に使用される充放電試験システムは、試験対象となる二次電池を充電または放電する電流を発生する充放電装置を有する。二次電池の特性試験では、直流電流に交流電流を重畳させて充放電する場合がある。このため、正弦波、三角波、方形波等の交流波形を有する交流電流を直流電流に重畳する高周波重畳電源装置が提案されている（例えば、特許文献１参照）。
【先行技術文献】
【特許文献】
【０００３】
【特許文献１】特開２００６−２５８４２４号公報
【発明の概要】
【発明が解決しようとする課題】
【０００４】
二次電池に流れる交流電流の波高値は、試験対象となる二次電池のインピーダンス、充放電装置と二次電池とを接続するケーブルのインダクタンス、直流電流に重畳する交流電流の周波数等の試験条件の変化に伴い変化するおそれがある。このため、試験条件によって、二次電池に流れる交流電流の波高値は、二次電池の特性試験を実行するために設定された波高値（以下、設定値とも称する）からずれるおそれがある。二次電池に印加される交流電流の波高値と設定値との差（誤差）が大きくなると、二次電池の特性試験の精度は低下する。
【０００５】
１つの側面では、本件開示の充放電試験システムは、直流電流に交流電流を重畳した電流を用いて二次電池を充電または放電する際に、二次電池に流れる交流電流の波高値と設定値との差が大きくなることを抑制することを目的とする。
【課題を解決するための手段】
【０００６】
一観点によれば、二次電池を充電または放電する充放電試験システムは、二次電池を充電または放電する直流電流を発生する直流電流発生部と、交流電流を発生し、交流電流を直流電流に重畳する交流電流発生部と、二次電池に流れる電流を検出する電流検出部と、電流検出部により検出された電流の交流成分を抽出し、抽出した交流成分の波高値を計測する波高値計測部と、波高値計測部により計測された波高値に基づいて、交流電流発生部で発生させる交流電流の波高値を調整する制御部とを有する。
【発明の効果】
【０００７】
本件開示の充放電試験システムは、直流電流に交流電流を重畳した電流を用いて二次電池を充電または放電する際に、二次電池に流れる交流電流の波高値と設定値との差が大きくなることを抑制できる。
【図面の簡単な説明】
【０００８】
【図１】充放電試験システムの一実施形態を示す図である。
【図２】充放電試験システムの別の実施形態を示す図である。
【図３】充放電試験システムの別の実施形態を示す図である。
【発明を実施するための形態】
【０００９】
以下、実施形態を図面を用いて説明する。
【００１０】
図１は、充放電試験システムの一実施形態を示す。充放電試験システム１０は、二次電池１００の充電試験および放電試験等の特性試験に使用され、試験対象となる二次電池１００を充電または放電する。例えば、充放電試験システム１０は、直流電流発生部３０、交流電流発生部４０、電流検出部５０、波高値計測部６０および制御部７０を有する。
【００１１】
直流電流発生部３０は、例えば、二次電池１００および電流検出部５０にケーブルを介して接続され、二次電池１００を充電または放電する直流電流を発生する。例えば、直流電流発生部３０は、直流電源の電圧値を所定の電圧値に変換する。そして、直流電流発生部３０は、所定の電圧値に対応する直流電流を発生する。これにより、例えば、直流電流発生部３０は、二次電池１００を充電する場合、所定の電圧値に対応する直流電流を二次電池１００に流し込む（図１の破線の矢印）。また、直流電流発生部３０は、二次電池１００を放電する場合、所定の電圧値に対応する直流電流を二次電池１００から引き抜く（図１の一点鎖線の矢印）。
【００１２】
交流電流発生部４０は、例えば、二次電池１００および電流検出部５０にケーブルを介して接続され、直流電流発生部３０で発生した直流電流に重畳する交流電流を発生する。例えば、交流電流発生部４０は、制御部７０から受ける制御信号ＣＳＩＧの波形（例えば、正弦波、三角波、方形波等の交流波形）と同一または同様の波形で、制御信号ＣＳＩＧの瞬時値を所定数倍した交流電流を発生する。これにより、制御信号ＣＳＩＧに対応する波高値を有する交流電流が二次電池１００に流れる。
【００１３】
このように、交流電流発生部４０は、制御信号ＣＳＩＧに対応する波高値を有する交流電流を発生し、直流電流発生部３０で発生した直流電流に交流電流を重畳する。なお、図１のノードＰ１０、Ｐ１１は、交流電流発生部４０と直流電流発生部３０とが互いに接続される接続点を示す。
【００１４】
例えば、直流電流発生部３０からノードＰ１０までの電流経路および直流電流発生部３０からノードＰ１１までの電流経路には、直流電流発生部３０で発生した直流電流が流れる。また、交流電流発生部４０からノードＰ１０までの電流経路および交流電流発生部４０からノードＰ１１までの電流経路には、交流電流発生部４０で発生した交流電流が流れる。そして、ノードＰ１０からノードＰ１１までの電流経路には、直流電流発生部３０で発生した直流電流に交流電流発生部４０で発生した交流電流を重畳した電流が流れる。
【００１５】
なお、交流電流発生部４０で発生した交流電流の一部がノードＰ１０、Ｐ１１を介して直流電流発生部３０に流れた場合、二次電池１００に流れる交流電流の波高値は、交流電流発生部４０で発生した交流電流の波高値からずれる。直流電流発生部３０に流れる交流電流の量は、二次電池１００等に接続されるケーブルのインダクタンス、二次電池１００のインピーダンス、直流電流に重畳する交流電流の周波数等の試験条件の変化に伴い変化するおそれがある。
【００１６】
したがって、二次電池１００に流れる交流電流の波高値等を交流電流発生部４０にフィードバックしない構成では、二次電池１００に流れる交流電流の波高値が所望の波高値（例えば、波高値情報ＳＩＮＦにより指定される波高値）からずれるおそれがある。このため、充放電試験システム１０は、電流検出部５０、波高値計測部６０、制御部７０等を介して、二次電池１００に流れる交流電流の波高値を交流電流発生部４０にフィードバックする。
【００１７】
電流検出部５０は、二次電池１００のマイナス端子とノードＰ１１との間に配置され、二次電池１００に流れる電流を検出する。例えば、電流検出部５０は、二次電池１００のマイナス端子とノードＰ１１との間に配置された抵抗を有し、抵抗の両端の電圧を波高値計測部６０に伝達する。この場合、波高値計測部６０は、電流検出部５０に含まれる抵抗の両端の電圧を、二次電池１００に流れる電流に対応する検出信号として受ける。なお、二次電池１００に流れる電流は、例えば、電流検出部５０に含まれる抵抗の両端の電圧と抵抗値とに基づいて算出される。
【００１８】
波高値計測部６０は、電流検出部５０により検出された電流の交流成分（二次電池１００に流れる交流電流）を抽出し、抽出した交流成分の波高値を計測する。すなわち、波高値計測部６０は、二次電池１００に流れる交流電流の波高値を計測する。例えば、波高値計測部６０は、二次電池１００に流れる電流に対応する検出信号を電流検出部５０から受ける。そして、波高値計測部６０は、検出信号の直流成分をカットし、検出信号の交流成分（交流信号）を抽出する。これにより、二次電池１００に流れる電流のうちの交流電流に対応する交流信号が抽出される。そして、波高値計測部６０は、抽出した交流信号の波高値を計測し、計測した波高値（交流信号の波高値）を示す計測結果信号ＡＳＩＧを制御部７０に出力する。なお、波高値計測部６０は、交流信号の実効値を示す計測結果信号ＡＳＩＧを制御部７０に出力してもよいし、交流信号の平均値を示す計測結果信号ＡＳＩＧを制御部７０に出力してもよい。
【００１９】
制御部７０は、波高値計測部６０により計測された波高値に基づいて、交流電流発生部４０で発生させる交流電流の波高値を調整する。例えば、制御部７０は、二次電池１００に流す交流電流の波高値を示す波高値情報ＳＩＮＦを、充放電試験システム１０の外部から受ける。そして、制御部７０は、波高値情報ＳＩＮＦにより指定された波高値に対応する交流波形を有する制御信号ＣＳＩＧを、交流電流発生部４０に出力する。これにより、波高値情報ＳＩＮＦにより指定された波高値を有する交流電流が交流電流発生部４０から出力される。なお、制御部７０から出力される制御信号ＣＳＩＧの波形の種類は、例えば、正弦波、三角波、方形波等に可変に設定されてもよいし、１種類に固定されてもよい。
【００２０】
また、制御部７０は、二次電池１００に流れる交流電流の波高値を示す計測結果信号ＡＳＩＧを波高値計測部６０から受ける。そして、制御部７０は、波高値情報ＳＩＮＦにより指定された波高値と計測結果信号ＡＳＩＧが示す波高値とを比較し、比較結果に基づいて制御信号ＣＳＩＧの波形を調整する。以下、波高値情報ＳＩＮＦにより指定された波高値は、設定値とも称され、計測結果信号ＡＳＩＧが示す波高値は、計測された波高値とも称される。例えば、制御部７０は、計測された波高値が設定値より小さい場合、制御信号ＣＳＩＧの波高値を大きくし、計測された波高値が設定値より大きい場合、制御信号ＣＳＩＧの波高値を小さくする。なお、制御部７０は、計測された波高値が設定値と等しい場合、制御信号ＣＳＩＧの波高値を現状の波高値に維持する。
【００２１】
このように、制御部７０は、二次電池１００に流れる交流電流の波高値を交流電流発生部４０にフィードバックし、二次電池１００に流れる交流電流の波高値が設定値（波高値情報ＳＩＮＦにより指定された波高値）に一致するように交流電流発生部４０を制御する。これにより、例えば、交流電流発生部４０で発生した交流電流の一部がノードＰ１０、Ｐ１１を介して直流電流発生部３０に流れた場合でも、二次電池１００に流れる交流電流の波高値は、設定値に一致するように調整される。
【００２２】
ここで、例えば、電流検出部がノードＰ１１と交流電流発生部４０との間に配置された構成では、交流電流発生部４０は、ノードＰ１１と交流電流発生部４０との間に流れる交流電流の波高値が設定値に一致するように制御される。この場合、ノードＰ１０、Ｐ１１を介して直流電流発生部３０に流れる交流電流（交流電流発生部４０で発生した交流電流の一部）の量の増加に伴い、二次電池１００に流れる交流電流の波高値と設定値との差（誤差）は増加する。
【００２３】
これに対し、充放電試験システム１０では、電流検出部５０が二次電池１００のマイナス端子とノードＰ１１との間に配置されるため、交流電流発生部４０は、二次電池１００に流れる交流電流の波高値が設定値に一致するように制御される。これにより、充放電試験システム１０は、二次電池１００に流れる交流電流の波高値と設定値との差を小さくすることができる。すなわち、充放電試験システム１０は、二次電池１００に流れる交流電流の波高値と設定値との差が大きくなることを抑制できる。この結果、二次電池１００の特性試験を精度よく実行することができる。
【００２４】
例えば、二次電池１００の特性を試験する試験装置（図示せず）は、充放電試験システム１０により二次電池１００が充電または放電されている期間に、二次電池１００の電圧を測定する。そして、試験装置は、二次電池１００の電圧および波高値情報ＳＩＮＦにより指定された交流電流の波高値等に基づいて、二次電池１００のインピーダンスを算出する。このため、二次電池１００に流れる交流電流の波高値と設定値との差が大きくなるほど、二次電池１００のインピーダンスの算出精度は低下する。換言すれば、二次電池１００に流れる交流電流の波高値と設定値との差が大きくなることを抑制することにより、二次電池１００のインピーダンスの算出精度の低下は抑制される。
【００２５】
なお、充放電試験システム１０の構成は、図１に示す例に限定されない。例えば、電流検出部５０は、二次電池１００のプラス端子とノードＰ１０との間に配置されてもよい。また、制御部７０は、波高値情報ＳＩＮＦを充放電試験システム１０内のモジュール（例えば、ＣＰＵ（Central Processing Unit）、レジスタ等）から受けてもよい。
【００２６】
以上、図１に示す実施形態では、充放電試験システム１０は、二次電池１００に流れる交流電流の波高値を交流電流発生部４０にフィードバックする。これにより、二次電池１００に流れる交流電流の波高値は設定値（波高値情報ＳＩＮＦにより指定された波高値）に一致するように調整され、二次電池１００に流れる交流電流の波高値と設定値との差を小さくすることができる。すなわち、直流電流に交流電流を重畳した電流を用いて二次電池１００を充電または放電する際に、二次電池１００に流れる交流電流の波高値と設定値との差が大きくなることを抑制することができる。
【００２７】
図２は、充放電試験システムの別の実施形態を示す。図１で説明した要素と同一または同様の要素については、同一または同様の符号を付し、これ等については、詳細な説明を省略する。図２の破線の矢印および一点鎖線の矢印の意味は、図１と同様である。
【００２８】
充放電試験システム１２は、二次電池１００の充電試験および放電試験等の特性試験に使用され、試験対象となる二次電池１００を充電または放電する。例えば、充放電試験システム１２は、二次電池１００を充電または放電する充放電装置２０と、二次電池１００に流れる電流を検出する電流検出部５０とを有する。なお、電流検出部５０は、図１に示した電流検出部５０と同一または同様である。充放電装置２０は、例えば、二次電池１００および電流検出部５０にケーブルを介して接続される。
【００２９】
充放電装置２０は、ＡＣ（Alternating Current）／ＤＣ（Direct Current）コンバータ２２、双方向ＤＣ／ＤＣコンバータ３２、ＤＣ／ＡＣインバータ４２、波高値計測部６２および制御部７２を有する。
【００３０】
ＡＣ／ＤＣコンバータ２２は、ＡＣ電源から交流電源信号ＡＣＩＮを受け、交流電源信号ＡＣＩＮを直流電源信号に変換する。そして、ＡＣ／ＤＣコンバータ２２は、交流電源信号ＡＣＩＮから変換した直流電源信号を、双方向ＤＣ／ＤＣコンバータ３２およびＤＣ／ＡＣインバータ４２に出力する。双方向ＤＣ／ＤＣコンバータ３２に出力される直流電源信号の電圧値とＤＣ／ＡＣインバータ４２に出力される直流電源信号の電圧値とは、互いに同じ値でもよいし、互いに異なる値でもよい。
【００３１】
双方向ＤＣ／ＤＣコンバータ３２は、二次電池１００を充電または放電する直流電流を発生する直流電流発生部の一例である。例えば、双方向ＤＣ／ＤＣコンバータ３２は、ＡＣ／ＤＣコンバータ２２から受けた直流電源信号の電圧値を所定の電圧値に変換する。そして、双方向ＤＣ／ＤＣコンバータ３２は、所定の電圧値に対応する直流電流を発生する。これにより、例えば、双方向ＤＣ／ＤＣコンバータ３２は、二次電池１００を充電する場合、所定の電圧値に対応する直流電流を二次電池１００に流し込む（図２の破線の矢印）。また、双方向ＤＣ／ＤＣコンバータ３２は、二次電池１００を放電する場合、所定の電圧値に対応する直流電流を二次電池１００から引き抜く（図２の一点鎖線の矢印）。
【００３２】
ＤＣ／ＡＣインバータ４２は、交流電流を直流電流に重畳する交流電流発生部の一例である。例えば、ＤＣ／ＡＣインバータ４２は、ＡＣ／ＤＣコンバータ２２から受けた直流電源信号を電源として、制御部７２から受ける制御信号ＣＳＩＧに対応する波高値を有する交流電流を発生する。
【００３３】
例えば、ＤＣ／ＡＣインバータ４２は、制御信号ＣＳＩＧの波形と同一または同様の波形で、制御信号ＣＳＩＧの瞬時値を所定数倍した交流電流を生成する。そして、ＤＣ／ＡＣインバータ４２は、制御信号ＣＳＩＧに基づいて生成した交流電流を、双方向ＤＣ／ＤＣコンバータ３２で発生した直流電流に重畳する。これにより、制御信号ＣＳＩＧに対応する波高値を有する交流電流が二次電池１００に流れる。例えば、ノードＰ１０からノードＰ１１までの電流経路には、双方向ＤＣ／ＤＣコンバータ３２で発生した直流電流にＤＣ／ＡＣインバータ４２で発生した交流電流を重畳した電流が流れる。
【００３４】
波高値計測部６２は、図１に示した波高値計測部６０と同一または同様である。図２に示す例では、波高値計測部６２は、所定の周波数範囲の交流信号を抽出するバンドパスフィルタ６４と増幅器６６とを有する。
【００３５】
バンドパスフィルタ６４は、電流検出部５０により検出された電流の交流成分（二次電池１００に流れる交流電流）を抽出する。例えば、バンドパスフィルタ６４は、二次電池１００に流れる電流に対応する検出信号を電流検出部５０から受ける。そして、バンドパスフィルタ６４は、電流検出部５０により検出された電流に対応する検出信号のうち、所定の周波数範囲の交流信号を抽出する。これにより、例えば、検出信号のうち、ＤＣ／ＡＣインバータ４２で生成された交流電流の周波数より高い周波数のノイズ成分と直流成分とがカットされる。バンドパスフィルタ６４により抽出された交流信号は、増幅器６６に転送される。
【００３６】
増幅器６６は、電流検出部５０により検出された電流に対応する検出信号のうちの所定の周波数範囲の交流信号を、バンドパスフィルタ６４から受ける。そして、増幅器６６は、バンドパスフィルタ６４から受けた交流信号を増幅する。
【００３７】
波高値計測部６２は、増幅器６６で増幅した交流信号に基づいて、電流検出部５０により検出された電流の交流成分の波高値を計測する。すなわち、波高値計測部６２は、バンドパスフィルタ６４で抽出した交流信号に基づいて、電流検出部５０により検出された電流の交流成分の波高値を計測する。そして、波高値計測部６２は、電流検出部５０により検出された電流（二次電池１００に流れる電流）の交流成分の波高値を示す計測結果信号ＡＳＩＧを制御部７２に出力する。なお、波高値計測部６２は、二次電池１００に流れる電流の交流成分の実効値を示す計測結果信号ＡＳＩＧを制御部７２に出力してもよいし、二次電池１００に流れる電流の交流成分の平均値を示す計測結果信号ＡＳＩＧを制御部７２に出力してもよい。
【００３８】
このように、波高値計測部６２は、ノイズ成分および直流成分がカットされた交流信号に基づいて、二次電池１００に流れる交流電流の波高値を計測する。これにより、二次電池１００に流れる交流電流の波高値を精度よく計測することができる。
【００３９】
制御部７２は、図１に示した制御部７０と同一または同様である。図２に示す例では、制御部７２は、波形発生回路７４および調整部７６を有する。波形発生回路７４は、二次電池１００に流す交流電流の波高値を示す波高値情報ＳＩＮＦを充放電装置２０の外部から受ける。そして、波形発生回路７４は、波高値情報ＳＩＮＦにより指定された波高値に対応する交流波形（例えば、正弦波、三角波、方形波等の交流波形）を有する基準信号ＲＳＩＧを、調整部７６に出力する。なお、波形発生回路７４から出力される基準信号ＲＳＩＧの波形の種類は、例えば、正弦波、三角波、方形波等に可変に設定されてもよいし、１種類に固定されてもよい。
【００４０】
調整部７６は、基準信号ＲＳＩＧを波形発生回路７４から受け、計測結果信号ＡＳＩＧを波高値計測部６２から受け、波形発生回路７４に通知された波高値情報ＳＩＮＦを受ける。そして、調整部７６は、計測結果信号ＡＳＩＧおよび波高値情報ＳＩＮＦに基づいて、基準信号ＲＳＩＧから制御信号ＣＳＩＧを生成し、生成した制御信号ＣＳＩＧをＤＣ／ＡＣインバータ４２に出力する。
【００４１】
例えば、調整部７６は、有効な計測結果信号ＡＳＩＧを受ける前（すなわち、二次電池１００に流れる交流電流の波高値が計測される前）の期間では、波形発生回路７４から受けた基準信号ＲＳＩＧと同一またはほぼ同一の制御信号ＣＳＩＧを生成する。これにより、波高値情報ＳＩＮＦにより指定された波高値を有する交流電流がＤＣ／ＡＣインバータ４２から出力され、二次電池１００に流れる交流電流の波高値が計測される。
【００４２】
二次電池１００に流れる交流電流の波高値が計測された後の期間では、調整部７６は、基準信号ＲＳＩＧから生成した制御信号ＣＳＩＧの波形を計測結果信号ＡＳＩＧに基づいて調整する。例えば、調整部７６は、計測結果信号ＡＳＩＧが示す波高値（計測された波高値）が波高値情報ＳＩＮＦにより指定された波高値（設定値）より小さい場合、制御信号ＣＳＩＧの波高値を大きくする。また、調整部７６は、計測された波高値が設定値より大きい場合、制御信号ＣＳＩＧの波高値を小さくする。なお、調整部７６は、計測された波高値が設定値と等しい場合、制御信号ＣＳＩＧの波高値を現状の波高値に維持する。
【００４３】
このように、調整部７６は、二次電池１００に流れる交流電流の波高値をＤＣ／ＡＣインバータ４２にフィードバックし、二次電池１００に流れる交流電流の波高値が設定値に一致するようにＤＣ／ＡＣインバータ４２を制御する。
【００４４】
これにより、例えば、ＤＣ／ＡＣインバータ４２で発生した交流電流の一部がノードＰ１０、Ｐ１１を介して双方向ＤＣ／ＤＣコンバータ３２に流れた場合でも、二次電池１００に流れる交流電流の波高値は、設定値に一致するように調整される。さらに、試験条件（充放電装置２０と二次電池１００とを接続するケーブルのインダクタンス等）の変化に伴い双方向ＤＣ／ＤＣコンバータ３２に流れる交流電流の量が変化した場合でも、二次電池１００に流れる交流電流の波高値は、設定値に一致するように調整される。
【００４５】
なお、充放電試験システム１２の構成は、図２に示す例に限定されない。例えば、電流検出部５０は、二次電池１００のプラス端子とノードＰ１０との間に配置されてもよい。また、調整部７６は、波形発生回路７４から受ける基準信号ＲＳＩＧの波高値を検出し、検出した基準信号ＲＳＩＧの波高値を設定値として、計測結果信号ＡＳＩＧが示す波高値と比較してもよい。また、充放電装置２０は、制御信号ＣＳＩＧにより制御される電子負荷回路を、ＤＣ／ＡＣインバータ４２の代わりに有してもよい。
【００４６】
また、充放電装置２０内に配置されるモジュール（図２に示す例では、ＡＣ／ＤＣコンバータ２２等）と、充放電装置２０の外部に配置されるモジュール（図２に示す例では、電流検出部５０）との組み合わせは、図２に示す例に限定されない。例えば、ＤＣ／ＡＣインバータ４２、波高値計測部６２および制御部７２を含むモジュール群は、双方向ＤＣ／ＤＣコンバータ３２を含む充放電装置と異なる装置に搭載されてもよい。
【００４７】
以上、図２に示す実施形態においても、図１に示した実施形態と同様の効果を得ることができる。例えば、充放電試験システム１２は、二次電池１００に流れる交流電流の波高値をＤＣ／ＡＣインバータ４２にフィードバックするため、二次電池１００に流れる交流電流の波高値と設定値との差を小さくできる。すなわち、直流電流に交流電流を重畳した電流を用いて二次電池１００を充電または放電する際に、二次電池１００に流れる交流電流の波高値と設定値との差が大きくなることを抑制することができる。
【００４８】
さらに、充放電試験システム１２は、二次電池１００に流れる交流電流の波高値をノイズ成分および直流成分がカットされた交流信号に基づいて計測するため、二次電池１００に流れる交流電流の波高値を精度よく検出できる。これにより、充放電試験システム１２は、二次電池１００に流れる交流電流の波高値を設定値に一致させるフィードバックを精度よく実行できる。
【００４９】
図３は、充放電試験システムの別の実施形態を示す。充放電試験システム１２Ａは、電流検出部５２が充放電装置２０Ａ内に配置されたことを除いて、図２に示した充放電試験システム１２と同一または同様である。図２で説明した要素と同一または同様の要素については、同一または同様の符号を付し、これ等については、詳細な説明を省略する。図３の破線の矢印および一点鎖線の矢印の意味は、図２と同様である。
【００５０】
充放電試験システム１２Ａは、二次電池１００の充電試験および放電試験等の特性試験に使用され、試験対象となる二次電池１００を充電または放電する。例えば、充放電試験システム１２Ａは、二次電池１００が接続される端子ＴＭ１０、ＴＭ１１を含む充放電装置２０Ａを有する。例えば、充放電装置２０Ａの端子ＴＭ１０は、二次電池１００のプラス端子にケーブルを介して接続され、充放電装置２０Ａの端子ＴＭ１１は、二次電池１００のマイナス端子にケーブルを介して接続される。図３に示す例では、充放電装置２０Ａは、充放電試験システム１２Ａとして機能する。
【００５１】
充放電装置２０Ａは、ＡＣ／ＤＣコンバータ２２、双方向ＤＣ／ＤＣコンバータ３２、ＤＣ／ＡＣインバータ４２、電流検出部５２、波高値計測部６２および制御部７２を有する。ＡＣ／ＤＣコンバータ２２は、図２に示したＡＣ／ＤＣコンバータ２２と同一または同様である。
【００５２】
双方向ＤＣ／ＤＣコンバータ３２は、図２に示した双方向ＤＣ／ＤＣコンバータ３２と同一または同様である。なお、双方向ＤＣ／ＤＣコンバータ３２は、端子ＴＭ１０に接続される端子ＴＭ２０と、端子ＴＭ１１に電流検出部５２を介して接続される端子ＴＭ２１とを有する。
【００５３】
ＤＣ／ＡＣインバータ４２は、図２に示したＤＣ／ＡＣインバータ４２と同一または同様である。なお、ＤＣ／ＡＣインバータ４２は、端子ＴＭ１０に接続される端子ＴＭ３０と、端子ＴＭ１１に電流検出部５２を介して接続される端子ＴＭ３１とを有する。
【００５４】
電流検出部５２は、図２に示した電流検出部５０と同一または同様である。なお、電流検出部５２は、端子ＴＭ１１に接続される端子ＴＭ４０と、双方向ＤＣ／ＤＣコンバータ３２の端子ＴＭ２１およびＤＣ／ＡＣインバータ４２の端子ＴＭ３１に接続される端子ＴＭ４１とを有する。
【００５５】
波高値計測部６２および制御部７２は、図２に示した波高値計測部６２および制御部７２と同一または同様である。
【００５６】
なお、充放電試験システム１２Ａの構成は、図３に示す例に限定されない。例えば、電流検出部５２は、検出した電流に対応する検出信号を、波高値計測部６２の他に、充放電装置２０Ａの外部に出力してもよい。また、電流検出部５２は、端子ＴＭ１０とノードＰ１０との間に配置されてもよい。この場合、例えば、電流検出部５２の端子ＴＭ４０は、端子ＴＭ１０に接続され、電流検出部５２の端子ＴＭ４１は、双方向ＤＣ／ＤＣコンバータ３２の端子ＴＭ２０およびＤＣ／ＡＣインバータ４２の端子ＴＭ３０に接続される。すなわち、双方向ＤＣ／ＤＣコンバータ３２の端子ＴＭ２０は、電流検出部５２を介して端子ＴＭ１０に接続され、双方向ＤＣ／ＤＣコンバータ３２の端子ＴＭ２１は、端子ＴＭ１１に接続される。そして、ＤＣ／ＡＣインバータ４２の端子ＴＭ３０は、電流検出部５２を介して端子ＴＭ１０に接続され、ＤＣ／ＡＣインバータ４２の端子ＴＭ３１は、端子ＴＭ１１に接続される。
【００５７】
以上、図３に示す実施形態においても、図２に示した実施形態と同様の効果を得ることができる。例えば、充放電試験システム１２Ａは、二次電池１００に流れる交流電流の波高値をＤＣ／ＡＣインバータ４２にフィードバックするため、二次電池１００に流れる交流電流の波高値と設定値との差を小さくできる。すなわち、直流電流に交流電流を重畳した電流を用いて二次電池１００を充電または放電する際に、二次電池１００に流れる交流電流の波高値と設定値との差が大きくなることを抑制することができる。
【００５８】
さらに、充放電試験システム１２Ａでは、電流検出部５２は充放電装置２０Ａ内に配置される。これにより、充放電装置２０Ａと二次電池１００との接続が煩雑になることを防止することができる。
【００５９】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６０】
１０、１２、１２Ａ‥充放電試験システム；２０、２０Ａ‥充放電装置；２２‥ＡＣ／ＤＣコンバータ；３０‥直流電流発生部；３２‥双方向ＤＣ／ＤＣコンバータ；４０‥交流電流発生部；４２‥ＤＣ／ＡＣインバータ；５０、５２‥電流検出部；６０、６２‥波高値計測部；６４‥バンドパスフィルタ；６６‥増幅器；７０、７２‥制御部；７４‥波形発生回路；７６‥調整部；１００‥二次電池
【図１】
2016206102.tif 000003
【図２】
2016206102.tif 000004
【図３】
2016206102.tif 000005